(57)【要約】【課題】  放水口の向きを工夫することにより、水槽内の水のエネルギを効率良く利用して、発電効率の向上を図ることができる越波式波力発電装置を提供すること。【解決手段】  波により越流する水を導入する導水口と導入した水を外部に放出する放水口を備えた水槽と、上記放水口側に設置され上記放水口を介して放出される水により回転される発電装置と、を具備し、上記放水口は上記波の来襲方向に交差する方向に開口されていることを特徴とするもの。【選択図】  図１
2015229963.tif 000002
【特許請求の範囲】
【請求項１】
越波により水を導入する導水口と導入した水を外部に放出する放水口を備えた水槽を具備し、
上記放水口は上記波の来襲方向に交差する方向に開口されていることを特徴とする越波式波力発電装置。
【請求項２】
請求項１記載の越波式波力発電装置において、
上記放水口は上記波の来襲方向に直交する方向に開口されていることを特徴とする越波式波力発電装置。
【請求項３】
請求項１又は請求項２記載の越波式波力発電装置において、
上記放水口は上記水槽の側面側に開口されていることを特徴とする越波式波力発電装置。
【請求項４】
請求項１〜請求項３の何れかに記載の越波式波力発電装置において、
上記放水口は上記水槽外部の水面の最低水位（ＨＬ）を超えない範囲でできるだけ高い位置に開口されていることを特徴とする越波式波力発電装置。
【請求項５】
請求項１〜請求項４の何れかに記載の越波式波力発電装置において、
上記放水口は上記水槽の壁面からから突出した位置に開口されていることを特徴とする越波式波力発電装置。
【発明の詳細な説明】
【技術分野】
【０００１】
本発明は、越波式波力発電装置に係り、特に、放水口の向きを工夫することにより、水槽内の水のエネルギを効率良く利用して、発電効率の向上を図ることができるように工夫したものに関する。
【背景技術】
【０００２】
越波式波力発電装置の構成を開示するものとして、例えば、特許文献１、特許文献２、特許文献３、等がある。
まず、特許文献１に記載された発明による「波力発電装置」の場合には、水槽に放水口が設けられていて、そこに発電機が設置されている。そして、放水口を介して放水される海水により発電機を回転させる構成になっている。上記放水口の向きは、波の来襲方向に沿った方向である。
次に、特許文献２に記載された発明による「波力エネルギー変換装置」の場合には、貯水槽があり、この貯水槽には放水管が接続されていて、この放水管に発電機が連結されている。そして、放水管を介して放水される海水により発電機を回転させる構成になっている。上記放水管の放水口は波の来襲方向に対向する方向に開口している。
さらに、特許文献３に記載された発明による「波力エネルギー蓄積プラント」の場合には、蓄水槽があり、この蓄水槽には放水路が接続されていて、この放水路の途中には、水車が設置されている。そして、放水路を介して放水される海水により水車を回転させて発電する構成になっている。上記放水路の放水口の向きに関する言及はない。
【先行技術文献】
【特許文献】
【０００３】
【特許文献１】特開２０１１−１５３５６７号公報
【特許文献２】特開平４−１９３６２号公報
【特許文献３】特開昭５７−４９０７５号公報
【発明の概要】
【発明が解決しようとする課題】
【０００４】
上記従来の構成によると次のような問題があった。
特許文献１に記載された「波力発電装置」の場合、特許文献２に記載された「波力エネルギー変換装置」の場合、特許文献３に記載された「波力エネルギー蓄積プラント」の場合は、何れも、水槽（貯水槽、蓄水槽）内に海水を貯留し、その貯留した海水のエネルギ（水頭差）を利用して発電機を回転させる構成になっているが、水槽（貯水槽、蓄水槽）内に貯留される海水のエネルギを必ずしも効率良く利用しているとはいえず、その改善が要求されていた。
特に、放水口の向きと波の来襲方向に関する研究は行われておらず、例えば、特許文献２に記載された「波力エネルギー変換装置」の場合には、放水口が波の来襲方向に対向する方向に開口されており、海流が水頭差を打ち消すように作用し、それが海水のエネルギを効率良く利用できない一因になっていた。
【０００５】
本発明は、このような点に基づいてなされたものでその目的とするところは、放水口の向きを工夫することにより、水槽内の水のエネルギを効率良く利用して、発電効率の向上を図ることができる越波式波力発電装置を提供することにある。
【課題を解決するための手段】
【０００６】
上記目的を達成するべく本願発明の請求項１による越波式波力発電装置は、越波により水を導入する導水口と導入した水を外部に放出する放水口を備えた水槽を具備し、上記放水口は上記波の来襲方向に交差する方向に開口されていることを特徴とするものである。
又、請求項２による越波式波力発電装置は、請求項１記載の越波式波力発電装置において、上記放水口は上記波の来襲方向に直交する方向に開口されていることを特徴とするものである。
又、請求項３による越波式波力発電装置は、請求項１又は請求項２記載の越波式波力発電装置において、上記放水口は上記水槽の側面側に開口されていることを特徴とするものである。
又、請求項４による越波式波力発電装置は、請求項１〜請求項３の何れかに記載の越波式波力発電装置において、上記放水口は上記水槽外部の水面の最低水位（ＨＬ）を超えない範囲でできるだけ高い位置に開口されていることを特徴とするものである。
又、請求項５による越波式波力発電装置は、請求項１〜請求項４の何れかに記載の越波式波力発電装置において、上記放水口は上記水槽の壁面から突出した位置に開口されていることを特徴とするものである。
【発明の効果】
【０００７】
以上述べたように本発明の請求項１による越波式波力発電装置によると、越波により水を導入する導水口と導入した水を外部に放出する放水口を備えた水槽を具備し、上記放水口は上記波の来襲方向に交差する方向に開口されているので、水流が上記放水口付近を横切ることになり、ベルヌーイ効果により上記放水口付近に大きな負圧を発生させることができる。そして、この負圧により上記水槽から上記放水口に向かう水流を速くすることができ、上記水槽内の水のエネルギを効率よく利用して発電効率を高めることができる。
又、請求項２による越波式波力発電装置によると、請求項１記載の越波式波力発電装置において、上記放水口は上記波の来襲方向に直交する方向に開口されているので、ベルヌーイ効果により上記放水口付近に最も効果的に負圧を発生させることができる。そして、この負圧により上記水槽から上記放水口に向かう水流を更に速くすることができ、上記水槽内の水のエネルギを更に効率よく利用して発電効率を高めることができる。
又、請求項３による越波式波力発電装置によると、請求項１又は請求項２記載の越波式波力発電装置において、上記放水口は上記水槽の側面側に開口されているので、放水口の高さを容易に設定することができ、放水口をそれ所望の高さに設定・配置して、上記ベルヌーイ効果を最大限得ることができるように構成することができる。
又、請求項４による越波式波力発電装置によると、請求項１〜請求項３の何れかに記載の越波式波力発電装置において、上記放水口は上記水槽外部の水面の最低水位（ＨＬ）を超えない範囲でできるだけ高い位置に開口されているので、水面に近い位置の流速が早い水流を利用して上記ベルヌーイ効果最大限得ることができ、これにより上記水槽から上記放水口に向かう水流を更に速くすることができ、更に上記水槽内の水のエネルギを効率よく利用して発電効率を高めることができる。
又、請求項５による越波式波力発電装置によると、請求項１〜請求項４の何れかに記載の越波式波力発電装置において、上記放水口は上記水槽の壁面から突出した位置に開口されているので、上記放水口付近において、上記水槽又は上記水槽が設置されている構造体等の表面による水流の減衰の影響を受けないようにすることができ、ベルヌーイ効果に基づく上記放水口付近での負圧をより大きくすることができ、これにより上記水槽から上記放水口に向う水流を更に速くすることができ、更に上記水槽内の水のエネルギを効率よく利用して発電効率を高めることができる。
【図面の簡単な説明】
【０００８】
【図１】本発明の第１の実施の形態を示す図で、図１（ａ）は越波式波力発電装置の全体の構成を模式的に示す縦断面図、図１（ｂ）は図１（ａ）のＩｂ−Ｉｂ断面図、図１（ｃ）は図１（ａ）のＩｃ−Ｉｃ矢視図である。
【図２】本発明の第１の実施の形態を示す図で、海中における水分子の運動と水深との関係を模式的に示す図である。
【図３】本発明の第１の実施の形態を示す図で、横軸に波の周期（Ｔ）をとり、縦軸に波高（Ｈ）をとり、その周期（Ｔ）／その波高（Ｈ）の波が発生する時間を年間通して積算した積算時間（ｈ）を数字でプロットするとともにそれを集計処理した結果を示し、且つ、発生頻度と賦存エネルギの強度を濃淡で示した図である。
【図４】本発明の第１の実施の形態を示す図で、横軸に波の周期（Ｔ）をとり、縦軸に波高（Ｈ）をとり、賦存エネルギに発生頻度を乗算した結果を濃淡で示した図である。
【図５】本発明の第２の実施の形態を示す図で、越波式波力発電装置の全体の構成を模式的に示す縦断面図である。
【発明を実施するための形態】
【０００９】
以下、図１乃至図４を参照して本発明の第１の実施の形態を説明する。
まず、図１を参照して、この第１の実施の形態による越波式波力発電装置１の全体の構成を説明する。この第１の実施の形態による越波式波力発電装置１は、例えば、海岸からさほど遠くない比較的浅い海底２に設置されている。
【００１０】
上記越波式波力発電装置１には、まず、コンクリート製の躯体３がある。この躯体３は上記海底２に直接設置されている。上記躯体３には水槽５が設けられていて、この水槽５の図１（ａ）中上端は開口されていて導水口７となっている。波Ｗはこの導水口７の縁を越波して上記水槽５内に落下する。それによって、海水８が上記水槽５内に導入・貯留されることになる。
なお、図１（ａ）中、上記水槽５の奥行き（図１（ａ）中左右方向大きさ）を符号Ｄで示すとともに、越波して水槽５内に流入する海水８の流入量（ｍ３／ｓｅｃ）を符号Ｑ１で示す。
【００１１】
また、上記水槽５の底面（図１（ａ）中下側の面）には流出口１０が設けられていて、この流出口１０には放水管９が連結されている。上記放水管９は、図１（ｂ）に示すように、上記水槽５の下側に延長された後、図１（ｂ）中左側に直角に屈曲され、その先端部は上記躯体３の側面側（図１（ｂ）中左側、図１（ｃ）中下側）に突出されている。この突出された放水管９の先端開口が放水口１３となっている。
そして、水頭差（Ｈ１）（水槽５内の液面と海面の平均水位（Ｈ０）との差）により、水槽５内の海水８が上記流出口１０及び放水管９及び放水口１３を介して上記躯体３の外部へと放出される。
【００１２】
また、この放水口１３は、波の来襲方向（図１（ｃ）中矢印ａで示す方向）に直交する方向に開口されている。それによって、海水８が上記放水口１３を横切るように流れ、いわゆる「ベルヌーイ効果」により負圧が発生する。この負圧により上記水槽５内の海水８が上記放水口１３側へと吸引される。つまり、水頭差（Ｈ１）に上記負圧による吸引効果が付加されることになり、放水管９内を流れる海水８の流速が増大されて発電効率が向上することになる。
【００１３】
また、上記放水口１３の高さ（図１（ａ）中上下方向の位置）は、図１（ａ）に示す海面の最低水位（ＨＬ）を超えない範囲でできるだけ高い位置に設定されている。具体的には、図１（ａ）に示すように、上記放水口１３の上端が上記海面の最低水位（ＨＬ）となるように設定されている。
【００１４】
その理由を図２を参照して説明する。図２は、海中における水分子の回転運動を模式的に示す図で、円の大きさは運動エネルギの大きさを示している。この図２に示すように、水分子の回転運動は海面に近いほど大きく、海流の流速も速くなっている。そこで、上記放水口１３をできるだけ海面に近い位置に配置して、既に説明した「ベルヌーイ効果」を最大限得ることができるように構成している。
なお、図１（ａ）においても、海中における水分子の回転運動を、矢印で模式的に示している。
【００１５】
上記放水管９内であって上記流出口１０の出口付近には、発電装置１５が設置されている。この発電装置１５は発電機１７とタービン１９とから構成されている。上記放水管９内の水流によって上記タービン１９ひいては上記発電機１７が回転されて発電が行われる。
【００１６】
上記躯体３において、上記水槽５の導水口７の図１（ａ）中右側には、傾斜壁２１が形成されている。この傾斜壁２１は、図１（ａ）中右側から左側に向かって上り勾配となっていて、波Ｗの遡上が促進される構成になっている。すなわち、図１（ａ）中右側から来襲する波Ｗは上記傾斜壁２１に沿って図１（ａ）中左上側に遡上していき、傾斜壁２１の頂点２１ａを越流して上記導水口７から上記水槽５内に落下する。それによって、海水８が水槽５内に導入・貯留される。
なお、図１（ａ）中、上記傾斜壁２１の頂点２１ａの平均海面水位（Ｈ０）からの高さを符号（Ｒ１）で示す。
【００１７】
また、上記傾斜壁２１の頂点２１ａの平均海面水位（Ｈ０）からの高さ（Ｒ１）は、上記越波式波力発電装置１が設置される海域における波Ｗのエネルギの分布に基づいて決定されている。以下、図３を参照して説明する。
【００１８】
図３は、横軸に波の周期（Ｔ、０．０秒〜１６．０秒）をとり、縦軸に波Ｗの波高（Ｈ、０．０ｍ〜６．０ｍ）をとり、その周期（Ｔ）／その波高（Ｈ）の波Ｗが発生した時間を年間通して積算した積算時間（ｈ）を数値でプロットしたものである。上記周期（Ｔ）はいわゆる「有義周期」であり、全波Ｗのうち波高が高い１／３の波Ｗの平均周期を意味している。また、上記波高（Ｈ）はいわゆる「有義波高」であり、全波Ｗのうち波高が高い１／３の波Ｗの平均波高を意味している。
なお、上記波Ｗの波高（Ｈ）とは平均海面水位（Ｈ０）からの波Ｗの高さを意味する。
【００１９】
また、横軸、縦軸においては、上記プロットされた積算時間（ｈ）に基づいて集計処理した数値が記入されている。まず、横軸においては、下端から３行目に既に説明した波Ｗの周期（Ｔ）が記載され、下端から２行目にその周期（Ｔ）の波Ｗが一年間で発生した積算時間（ｈ）が記載され、最下端にその周期（Ｔ）の波Ｗの全波Ｗに対する割合（％）が記載されている。
又、縦軸においては、左端から３列目に既に説明した波高（Ｈ）が記載され、左端から２列目にその波高（Ｈ）の波Ｗが一年間で発生した積算時間（ｈ）が記載され、最左端にその波高（Ｈ）の波Ｗの全波Ｗに対する割合（％）が記載されている。
【００２０】
さらに、発生頻度と賦存エネルギ（Ｅ）の強度がそれぞれ濃淡で示されている。まず、発生頻度であるが、図３中中央下部に濃く示された領域があり、この領域に属する周期（Ｔ）／波高（Ｈ）の波Ｗが高い頻度で発生していることがわかる。
また、賦存エネルギ（Ｅ）については、図３中斜め右上方向に向かってその強度が増していき、よって、その方向に向かってより濃く表示されている。
なお、賦存エネルギ（Ｅ）は下記の式（Ｉ）によって算出される。
Ｅ＝０．４４２・Ｈ１／３２・Ｔ１／３―――（Ｉ）
但し、
Ｅ ：賦存エネルギ
Ｈ１／３：有義波高（全波のうち波高が高い１／３の波の平均波高）
Ｔ１／３：有義周期（全波のうち波高が高い１／３の波の平均周期）
【００２１】
また、この第１の実施の形態の場合には、傾斜壁２１の頂点２１ａの平均海面水位（Ｈ０）からの高さ（Ｒ１）を決定するに際して、「賦存エネルギ（Ｅ）」と「発生頻度」を乗算した値の分布（賦存エネルギ（Ｅ）の年間積算量を意味する値）を考慮している。
【００２２】
図４には、上記賦存エネルギ（Ｅ）と発生頻度を乗算した値が数値でプロットされ、その数値の大小が濃淡で表されている。また、図４の横軸、縦軸においては、上記プロットされた値に基づいて集計処理した数値が記入されている。まず、横軸においては、下端から３行目に既に説明した波Ｗの周期（Ｔ）が記載され、下端から２行目にその周期（Ｔ）の波Ｗについての上記賦存エネルギ（Ｅ）と発生頻度を乗算した値の総計が記載され、最下端にその周期（Ｔ）の波Ｗの上記賦存エネルギ（Ｅ）と発生頻度を乗算した値の全波Ｗに対する割合（％）が記載されている。
【００２３】
又、縦軸においては、左端から３列目に既に説明した波高（Ｈ）が記載され、左端から２列目にその波高（Ｈ）の波Ｗについての上記賦存エネルギ（Ｅ）と発生頻度を乗算した値の総計が記載され、最左端にその波高（Ｈ）の波Ｗの上記賦存エネルギ（Ｅ）と発生頻度を乗算した値の全波Ｗに対する割合（％）が記載されている。
【００２４】
図４に示すように、静穏時における波高（Ｈ）が０．７ｍ〜１．２ｍの範囲と、荒天時における波高（Ｈ）が３．９ｍ〜５．６ｍの範囲に、「賦存エネルギ（Ｅ）」と「発生頻度」を乗算することにより得られる値が高い部分が集中している。この第１の実施の形態の場合には、これら２つの範囲のうち、賦存エネルギ（Ｅ）は低いものの発生頻度が高い範囲を選択しており、上記傾斜壁２１の頂点２１ａ平均海面水位（Ｈ０）からの高さ（Ｒ１）を、静穏時における０．７ｍ〜１．２ｍの範囲で任意の値に設定している。
なお、上記図４に示す２つの範囲のうち、発生頻度は低いものの賦存エネルギ（Ｅ）が高い範囲、すなわち、波高が荒天時における３．９ｍ〜５．６ｍの範囲を選択し、上記傾斜壁２１の頂点２１ａ平均海面水位（Ｈ０）からの高さ（Ｒ１）を、荒天時における３．９ｍ〜５．６ｍの範囲で任意の値に設定する場合も考えられる。
【００２５】
以上の構成を基にその作用を説明する。
まず、図１（ａ）において、図中右側から左側に向かって波Ｗが来襲する。この来襲した波Ｗは傾斜壁２１に沿って図１（ａ）中左上側に遡上していく。遡上した波Ｗは傾斜壁２１の頂点２１ａを越流して導水口７から水槽５内に落下する。これによって、海水８が水槽５内に導入・貯留されていく。
上記水槽５内に導入・貯留された海水８は、水頭差（Ｈ１）により、流出口１０及び放水管９及び放水口１３を介して放出される。そして、上記放水管９内の水流を利用して、タービン１９ひいては発電機１７を回転させて発電が行われる。
【００２６】
このような一連の発電作用において、放水口１３は躯体１の側面であって上記躯体３の外の波Ｗの来襲方向（図1（ｃ）中矢印ａで示す方向）に直交する方向に開口されている。そのため、海流が上記放水口１３付近を横切ることになり、いわゆる「ベルヌーイ効果」により負圧が発生する。この負圧により放水管９内を流下する海水８が吸引される。つまり、水頭差（Ｈ１）に上記負圧による吸引効果が付加されることになり、放水管９内を流通する海水８の流速が増大することになる。
【００２７】
また、上記放水口１３は海面の最低水位（ＨＬ）を超えない範囲でできるだけ高い位置に設定・配置されていて、海面に近いほど大きくなる水分子の円運動を効果的に利用するようにしている。その結果。上記放水口１３付近の「ベルヌーイ効果」による負圧もより大きなものとなる。
また、上記放水口１３は、躯体３の側面側（図１（ｂ）中左側、図１（ｃ）中下側）に突出された位置に配置されているので、放水口１３を横切る海流が上記躯体３の表面による減衰の影響を受けることはない。それによって、「ベルヌーイ効果」による負圧をより大きなものとしている。
【００２８】
また、上記傾斜壁２１の頂点２１ａの平均海面水位（Ｈ０）からの高さ（Ｒ１）は、波Ｗのエネルギ分布に基づいて決定されていて、水頭差（Ｈ１）をできるだけ高く保持した状態で、海水８を効率良く水槽５内に導入・貯留するようにしている。
【００２９】
以上、本実施の形態によると次のような効果を奏することができる。
まず、放水口１３が、躯体３外部の波Ｗの来襲方向（図1（ｃ）中矢印ａで示す方向）に直交する方向に開口されているため、上記放水口１３を横切る海流により、「ベルヌーイ効果」による負圧を発生させることができる。そして、水頭差（Ｈ１）にこの負圧による吸引効果が加わることにより、放水管９内を流通する海水８の流速を増大させて、発電効率を向上させることができる。
【００３０】
また、上記放水口１３は海面の最低水位（ＨＬ）を超えない範囲でできるだけ高い位置に設定・配置されているので、海面に近いほど大きくなる水分子の円運動を効果的に利用して、「ベルヌーイ効果」による負圧を大きなものとすることがでる。これによって、既に説明した効果をより高いものとすることができる。
【００３１】
また、上記放水口１３は、上記躯体３の側面側（図１（ｃ）中下側）に突出した位置に配置されているので、放水口１３を横切る海流が上記躯体３の表面による減衰の影響を受けることはなく、それによっても、「ベルヌーイ効果」による負圧を大きくすることができ、既に説明した効果をより高いものとすることができる。
【００３２】
また、傾斜壁２１が設置されているので、波Ｗをこの傾斜壁２１に沿って効率よく遡上させることができ、水槽５内により多くの海水８を導入・貯留することができる。
その際、上記傾斜壁２１の頂点２１ａの平均海面水位（Ｈ０）からの高さ（Ｒ１）は、波Ｗのエネルギ分布に基づいて決定されているので、水頭差（Ｈ１）をできるだけ高く保持した状態で、海水８を効率良く水槽５内に導入・貯留することができる。
【００３３】
次に、図５を参照して本発明の第２の実施の形態を説明する。
この第２の実施の形態による越波式波力発電装置３１は、前記した第１の実施の形態による越波式波力発電装置１とほぼ同様の構成であるが、躯体３が複数の支柱３３によって海底２から離間した状態で設置されており、放水管９が上記海底２と上記躯体３の底面（図５中下側の面）との間の海中に下側に向けて延長・突出されている。そして、この突出された放水管９の先端開口が放水口１３となっている。すなわち、この第２の実施の形態では、上記放水口１３は、上記躯体３の底面側に開口されている。
【００３４】
この第２の実施の形態の場合も、上記放水口１３が、波の来襲方向（図５中左右方向）に直交する方向に開口されている。それによって、海水８が上記放水口１３を横切るように流れ、いわゆる「ベルヌーイ効果」により負圧が発生し、この負圧により上記水槽５内の海水８が上記放水口１３側へと吸引される。
よって、この第２の実施の形態の場合も、前記した第１の実施の形態の場合と同様の作用・効果を奏する。すなわち、水頭差（Ｈ１）に上記負圧による吸引効果が付加されることになり、放水管９内を流れる海水８の流速が増大されて発電効率が向上することになる。
【００３５】
尚、本発明は前記第１の実施の形態や第２の実施の形態に限定されるものではない。
まず、放水口が開口される向きは、躯体外部の波の来襲方向に直交する方向が最も好ましいが、波の来襲方向に交差する方向であれば様々な方向が考えられる。
また、放水口が開口される場所は側面側や底面側に限られるものではない。例えば、放水口が斜め下側に向けて開口される場合も考えられる。
また、放水口の数は１個に限定されるものではなく複数でもよい。
また、複数の水槽が連設・配置される場合も考えられる。この場合複数の水槽からの放水管を合流させて放水口を１個にするようにしてもよいし、それぞれの放水管に放水口を設けてもよい。
また、前記第１の実施の形態や第２の実施の形態の場合には、コンクリート製の躯体によって水槽を設ける構成を例に挙げて説明したが、それに限定されるものではなく、鋼板等の金属製の水槽、等様々な水槽が想定される。
また、前記第１の実施の形態や第２の実施の形態の場合には海を例に挙げて説明したが、波が発生する場所であれば、川、湖でもよい。
その他、図示した構成はあくまで一例である。
【産業上の利用可能性】
【００３６】
本発明は、越波式波力発電装置に係り、特に、放水口の向きを工夫することにより、水槽内の水のエネルギを効率良く利用して、発電効率の向上を図ることができるように工夫したものに関し、例えば、海岸付近に設置される波力発電装置に好適である。
【符号の説明】
【００３７】
１  越波式波力発電装置
５  水槽
７  導水口
８  海水（水）
１３  放水口
２１  傾斜壁
Ｗ  波
【図１】
2015229963.tif 000003
【図２】
2015229963.tif 000004
【図３】
2015229963.tif 000005
【図４】
2015229963.tif 000006
【図５】
2015229963.tif 000007